(57)【要約】  1つの実施形態において、ユーザ機器(UE)の中で使用される装置が説明される。上記の装置は、1つ又は複数の構成情報メッセージに基づいてマスター進化型NodeB(MeNB)のための測定ギャップを決定するように動作可能な構成回路であって、そのマスター進化型NodeB(MeNB)は、マスターセルグループ(MCG)を提供するように動作可能であり、そのマスターセルグループ(MCG)は、セカンダリー進化型NodeB(SeNB)のセカンダリーセルグループ(SCG)とは非同期状態にあり、マスターセルグループ(MCG)のサブフレーム境界は、セカンダリーセルグループ(SCG)のサブフレーム境界とは異なっている、構成回路と、マスターセルグループ(MCG)のサブフレーム境界に基づいて測定ギャップの始端において無線周波数(RF)回路を同調させて、周波数間測定を開始させるように動作可能である無線周波数(RF)制御回路とを含み、無線周波数(RF)回路は、マスターセルグループ(MCG)のサービングセル及びセカンダリーセルグループ(SCG)のサービングセルにおいてデータを送信し又は受信するのに使用されるように構成される。他の実施形態も、また、説明され、特許請求の範囲に記載される。
2017523733.tif 000002
【特許請求の範囲】
【請求項１】
ユーザ機器(UE)において使用される装置であって、
1つ又は複数の構成情報メッセージに基づいてマスター進化型NodeB(MeNB)のための測定ギャップを決定するように動作可能な構成回路であって、前記マスター進化型NodeB(MeNB)は、マスターセルグループ(MCG)を提供するように動作可能であり、前記マスターセルグループ(MCG)は、セカンダリー進化型NodeB(SeNB)のセカンダリーセルグループ(SCG)とは非同期状態にあり、前記マスターセルグループ(MCG)のサブフレーム境界は、前記セカンダリーセルグループ(SCG)のサブフレーム境界とは異なっている、構成回路と、
前記マスターセルグループ(MCG)のサブフレーム境界に基づいて前記測定ギャップの始端において無線周波数(RF)回路を同調させて、前記無線周波数(RF)回路に周波数間測定を開始させるように動作可能である無線周波数(RF)制御回路とを含み、前記無線周波数(RF)回路は、前記マスターセルグループ(MCG)のサービングセル及び前記セカンダリーセルグループ(SCG)のサービングセルにおいてデータを送信し又は受信するのに使用されるように構成される、
装置。
【請求項２】
前記無線周波数(RF)制御回路は、さらに、前記測定ギャップの終端において前記無線周波数(RF)回路を再び同調させて、前記セカンダリーセルグループ(SCG)又は前記マスターセルグループ(MCG)の前記サービングセルにおいてデータを送信させ又は受信させるように動作可能である、請求項１に記載の装置。
【請求項３】
同調動作の開始から再同調動作の終わりまでの時間は、前記マスターセルグループ(MCG)と前記セカンダリーセルグループ(SCG)との間で整列させられる、請求項２に記載の装置。
【請求項４】
前記マスター進化型NodeB(MeNB)のための前記測定ギャップは、第1の保護マージン、前記第1の保護マージンに続く測定期間、及び前記測定期間に続く第2の保護マージンを含む、請求項１乃至３のいずれか１項に記載の装置。
【請求項５】
前記マスター進化型NodeB(MeNB)のための前記測定ギャップの前記第1の保護マージンは、前記セカンダリー進化型NodeB(SeNB)のための測定ギャップの第1の保護マージンと実質的に整列させられ、前記マスター進化型NodeB(MeNB)のための前記測定ギャップの前記第2の保護マージンは、前記セカンダリー進化型NodeB(SeNB)のための前記測定ギャップの第2の保護マージンと実質的に整列させられる、請求項４に記載の装置。
【請求項６】
当該装置は、前記ユーザ機器(UE)のベースバンドチップセットの中に含まれている、請求項１乃至３のいずれか１項に記載の装置。
【請求項７】
前記セカンダリー進化型NodeB(SeNB)のための中断ギャップは、前記マスター進化型NodeB(MeNB)のための前記測定ギャップよりも遅れて開始することはなく、前記マスター進化型NodeB(MeNB)のための前記測定ギャップよりも後に終了する、請求項１乃至３のいずれか１項に記載の装置。
【請求項８】
複数の命令を含むコンピュータプログラムであって、前記複数の命令は、ユーザ機器(UE)の1つ又は複数のプロセッサによって実行されると、前記ユーザ機器(UE)に、
マスター進化型NodeB(MeNB)のための測定ギャップを決定させ、前記マスター進化型NodeB(MeNB)は、マスターセルグループ(MCG)を提供するように動作可能であり、前記マスターセルグループ(MCG)は、セカンダリー進化型NodeB(SeNB)のセカンダリーセルグループ(SCG)と非同期状態にあり、
前記ユーザ機器(UE)の無線周波数(RF)回路を同調させて、前記マスターセルグループ(MCG)及び前記セカンダリーセルグループ(SCG)の双方における測定のために、前記測定ギャップの開始の時点において前記無線周波数(RF)回路に周波数間測定を開始させるようにさせ、前記測定ギャップの前記開始は、前記マスターセルグループ(MCG)のサブフレームのタイミングに基づいている、
コンピュータプログラム。
【請求項９】
前記複数の命令は、前記ユーザ機器(UE)の1つ又は複数のプロセッサで実行されると、前記ユーザ機器(UE)に、前記測定ギャップの終端で前記無線周波数(RF)回路を再び同調させて、前記無線周波数(RF)回路に、前記セカンダリーセルグループ(SCG)又は前記マスターセルグループ(MCG)のサービングセルにおいてデータを送信させ又は受信させる、請求項８に記載のコンピュータプログラム。
【請求項１０】
同調操作の開始から再同調操作の終了までの時間は、前記マスター進化型NodeB(MeNB)と前記セカンダリー進化型NodeB(SeNB)との間で整列させられる、請求項９に記載のコンピュータプログラム。
【請求項１１】
前記マスター進化型NodeB(MeNB)のための前記測定ギャップは、第1の保護マージン、前記第1の保護マージンに続く測定期間、及び前記測定期間に続く第2の保護マージンを含む、請求項８乃至１０のいずれか１項に記載のコンピュータプログラム。
【請求項１２】
当該コンピュータプログラムの前記複数の命令は、前記ユーザ機器(UE)のベースバンドチップセットの中に含まれる非一時的コンピュータ読み取り可能な記憶媒体の中に格納されている、請求項８乃至１０のいずれか１項に記載のコンピュータプログラム。
【請求項１３】
前記セカンダリー進化型NodeB(SeNB)のための中断ギャップは、前記マスター進化型NodeB(MeNB)のための前記測定ギャップよりも遅れて開始することはなく、前記マスター進化型NodeB(MeNB)のための前記測定ギャップよりも後に終了する、請求項８乃至１０のいずれか１項に記載のコンピュータプログラム。
【請求項１４】
複数の命令を含むコンピュータプログラムであって、前記複数の命令は、マスター進化型NodeB(MeNB)の1つ又は複数のプロセッサによって実行されると、前記マスター進化型NodeB(MeNB)に、
前記マスター進化型NodeB(MeNB)のための測定ギャップの第1の構成情報を設定させ、前記第1の構成情報は、前記測定ギャップのギャップ長さ及び始点を指定し、
前記マスター進化型NodeB(MeNB)と非同期状態にあるセカンダリー進化型NodeB(SeNB)のための中断ギャップの第2の構成情報を設定させ、前記第2の構成情報は、前記中断ギャップのギャップ長さを指定し、
前記第1の構成情報及び前記第2の構成情報を含む1つ又は複数のメッセージを送信させ、
前記中断ギャップの前記ギャップ長さは、前記測定ギャップの前記ギャップ長さよりも長い、
コンピュータプログラム。
【請求項１５】
前記中断ギャップの始点は、前記測定ギャップの前記始点と同等であるか、又は前記測定ギャップの前記始点と比較して1つのサブフレームの継続時間より小さな時間だけ時間的に進んでいる、請求項１４に記載のコンピュータプログラム。
【請求項１６】
前記測定ギャップの前記ギャップ長さは6個のサブフレームであり、前記中断ギャップの前記ギャップ長さは7個のサブフレームである、請求項１４及び１５のいずれか１項に記載のコンピュータプログラム。
【請求項１７】
前記測定ギャップの前記始点は、第1のシステムフレーム番号(SFN)及び第1のサブフレーム番号によって指定され、前記中断ギャップの前記始点は、第2のシステムフレーム番号(SFN)及び第2のサブフレーム番号によって指定され、前記複数の命令は、前記マスター進化型NodeB(MeNB)の前記1つ又は複数のプロセッサによって実行されると、前記マスター進化型NodeB(MeNB)に、前記マスター進化型NodeB(MeNB)と前記セカンダリー進化型NodeB(SeNB)との間でSFN及びサブフレーム境界の整列を実行させる、請求項１４及び１５のいずれか１項に記載のコンピュータプログラム。
【請求項１８】
前記測定ギャップの前記始点は、第1のシステムフレーム番号(SFN)及び第1のサブフレーム番号によって指定され、前記中断ギャップの前記始点は、第2のシステムフレーム番号(SFN)及び第2のサブフレーム番号によって指定され、前記複数の命令は、前記マスター進化型NodeB(MeNB)の前記1つ又は複数のプロセッサによって実行されると、さらに、前記マスター進化型NodeB(MeNB)に、
前記マスター進化型NodeB(MeNB)のサブフレームのタイミングと前記セカンダリー進化型NodeB(SeNB)のサブフレームのタイミングとの間の差を決定させ、
前記マスター進化型NodeB(MeNB)の前記サブフレームのタイミングが前記セカンダリー進化型NodeB(SeNB)の前記サブフレームのタイミングと比較して時間的に進んでいるということを前記差が示していることに応答して、前記第2の構成情報を設定させ、それによって前記第2のサブフレーム番号が前記第1のサブフレーム番号と比較して時間的に直前となるようにする、請求項１４及び１５のいずれか１項に記載のコンピュータプログラム。
【請求項１９】
前記測定ギャップの前記始点は、第1のシステムフレーム番号(SFN)及び第1のサブフレーム番号によって指定され、前記中断ギャップの前記始点は、第2のシステムフレーム番号(SFN)及び第2のサブフレーム番号によって指定され、前記複数の命令は、前記マスター進化型NodeB(MeNB)の前記1つ又は複数のプロセッサによって実行されると、前記マスター進化型NodeB(MeNB)に、
前記マスター進化型NodeB(MeNB)のサブフレームのタイミングと前記セカンダリー進化型NodeB(SeNB)のサブフレームのタイミングとの間の差を決定させ、
前記マスター進化型NodeB(MeNB)のサブフレームのタイミングが前記セカンダリー進化型NodeB(SeNB)のサブフレームのタイミングと比較して時間的に進んでいないということを前記差が示していることに応答して、前記第2の構成情報を設定させ、それによって前記第2のサブフレーム番号が前記第1のサブフレーム番号と等しくなるようにする、請求項１４及び１５のいずれか１項に記載のコンピュータプログラム。
【請求項２０】
前記中断ギャップは、第2の測定ギャップを含み、前記測定ギャップ及び前記第2の測定ギャップの各々は、第1の保護マージン、前記第1の保護マージンに続く測定期間、及び前記測定期間に続く第2の保護マージンを含む、請求項１４及び１５のいずれか１項に記載のコンピュータプログラム。
【請求項２１】
前記測定ギャップの前記第1の保護マージンは、前記第2の測定ギャップの前記第1の保護マージンと実質的に整列させられる、請求項２０に記載のコンピュータプログラム。
【請求項２２】
進化型NodeB(eNodeB)の中で実装される装置であって、
トランシーバ回路に、ユーザ機器(UE)との間でのデータ送信又はデータ受信を実行させるように動作可能である信号制御回路と、
中断ギャップを決定するように動作可能である構成回路とを含み、前記中断ギャップの間、前記ユーザ機器(UE)との間でのデータ送信又はデータ受信は禁止され、前記中断ギャップは7[ms]のギャップ長さを有し、測定ギャップは6[ms]のギャップ長さを有する、
装置。
【請求項２３】
前記進化型NodeB(eNodeB)は、マスター進化型NodeB(MeNB)と非同期状態となるように動作可能であるセカンダリー進化型NodeB(SeNB)である、請求項２２に記載の装置。
【請求項２４】
前記進化型NodeB(eNodeB)は、非理想的なバックホールによってマスター進化型NodeB(MeNB)と接続される、請求項２２に記載の装置。
【請求項２５】
前記中断ギャップは、マスター進化型NodeB(MeNB)から受信する構成情報に基づいて決定される、請求項２２乃至２４のいずれか１項に記載の装置。
【請求項２６】
請求項８乃至１３のいずれか１項に記載のコンピュータプログラムを格納している非一時的コンピュータ読み取り可能な記憶媒体。
【請求項２７】
請求項１４乃至２１のいずれか１項に記載のコンピュータプログラムを格納している非一時的コンピュータ読み取り可能な記憶媒体。
【発明の詳細な説明】
【技術分野】
【０００１】
本願は、2014年8月8日に出願された「非同期DCにおける1つの測定ギャップ」と題する米国仮出願番号62/035,092号に基づく優先権の利益を主張するものであり、米国仮出願番号62/035,092号の内容は、本願の参照として取り入れられる。
【０００２】
本開示の複数の実施形態は、概して、無線通信のための装置及び方法に関しており、より具体的には、ロングタームエボリューション（LTE）のための装置及び方法に関している。
【背景技術】
【０００３】
LTE  Release  12においては、第3世代パートナーシッププロジェクト（3GPP）は、デュアルコネクティビティ（DC）の将来性を紹介しており、デュアルコネクティビティ（DC）は、ある与えられたユーザ機器（UE）が、例えば、X2インターフェイス等の非理想的なバックホールで接続される少なくとも2つの異なるネットワークポイントによって提供される無線リソースを消費するのを可能にし、したがって、改善されたネットワークパフォーマンスを可能にする。
【図面の簡単な説明】
【０００４】
本開示の複数の実施形態は、添付の図面の図表の中で限定としてではなく例として解説され、それらの添付の図面においては、同様の参照数字は、同様の構成要素を指している。
【図１】本開示の複数の実施形態を実装することができる単純化された無線通信システムを図示している。
【図２】1つの測定ギャップを含んでいるさまざまな実施形態にしたがったフレーム構造の概略図を示している。
【図３】さまざまな実施形態にしたがったマスター進化型NodeB（MeNB）及びセカンダリー進化型NodeB（SeNB）についての例示的なサブフレームのタイミングを図示しており、タイミング図においては、マスターセルグループ（MCG）がサブフレーム半分だけセカンダリーセルグループ（SCG）よりも進んでいる。
【図４】さまざまな実施形態にしたがった修正されたギャップ構成を示しており、その修正されたギャップ構成においては、中断ギャップ長さがMCG及びSCGの双方について7[ms]に伸ばされている。
【図５】本開示のさまざまな実施形態にしたがったギャップ構成を図示している。
【図６】本開示のさまざまな実施形態にしたがった無線通信の方法を図示している。
【図７】本開示のさまざまな実施形態にしたがったフローチャートを図示している。
【図８Ａ】本開示のさまざまな実施形態にしたがった進化型NodeB（eNodeB）の単純化されたブロック図である。
【図８Ｂ】本開示のさまざまな実施形態にしたがった進化型NodeB（eNodeB）の単純化されたブロック図である。
【図９】本開示のさまざまな実施形態にしたがった無線通信装置の単純化されたブロック図である。
【図１０】本開示のさまざまな実施形態にしたがった無線通信システムの一般的なブロック図を図示している。
【発明を実施するための形態】
【０００５】
本明細書においては、本発明の技術分野の当業者が自身の業務の内容を他の当業者に伝えるのに共通に使用する用語を用いて、複数の例示的な実施形態のさまざまな態様を説明することとなる。しかしながら、説明される複数の態様の複数の部分を用いて多くの代替的な実施形態を実用化してもよいということが当業者には明らかとなるであろう。説明の目的なため、複数の特定の番号、材料、及び構成が説明され、複数の例示的な実施形態の完全な理解を提供する。しかしながら、特定の細部を用いることなく複数の代替的な実施形態を実用化してもよいということが当業者に明らかとなるであろう。他の内容については、上記の複数の例示的な実施形態を不明瞭にするのを避けるために、よく知られている特徴は、省略されまたは簡素化される。
【０００６】
さらに、さまざまな複数の動作が、複数の個別の動作として、上記の複数の例示的な実施形態の理解に最も役立つ方法で順序に従って説明されるが、説明の上記の順序は、それらの複数の動作が必然的にその順序に依存するということを示唆するものと解釈されるべきではない。特に、これらの動作は、提示される順序の通りに実行される必要はない。
【０００７】
さらに、また、"１つの実施形態において"との記載が本明細書において繰り返し使用され、上記の記載は、通常、同一の実施形態を指してはいないが、同一の実施形態を指してもよい。"含む"、"有する"、"からなる"の語は、文脈が異なる意味内容を示している場合を除き、同義語である。"A又はB"及び"A/B"の表現は、”(A)、(B)、又は(A及びB)”を意味する。
【０００８】
図1は、単純化された通信システム100を図示しており、その単純化された通信システム100においては、本開示についての複数の実施形態を実装することが可能である。無線通信システム100は、第1のeNodeB110、第2のeNodeB120、及びユーザ機器(UE)130を含む。第1のeNodeB110は、例えば、ロングタームエボリューション(LTE)ネットワークにおけるマクロセルタイプのeNodeBであってもよい。1つの実施形態において、第1のeNodeB110は、上記のネットワーク内のモビリティ管理を容易にしてもよく、また、第2のeNodeB120は、オフロードの目的で提供されてもよい。1つの実施形態において、第1のeNodeB110及び第2のeNodeB120は、複数の異なる周波数で動作してもよい。1つの実施形態において、第1のeNodeB110及び第2のeNodeB120は、例えば、X2インターフェイス等の非理想的なバックホールインターフェイスで接続されてもよい。
【０００９】
UE130は、いずれかの無線通信装置であってもよく、その無線通信装置は、第1のeNodeB110及び第2のeNodeB120によってサービスを提供されてもよく、また、これらには限定されないが、セルラフォン、ラップトップコンピュータ、タブレットデバイス、パーソナルディジタルアシスタント（PDA）、ゲーム用コンソール等を含んでもよい。以下では、UE130が1つのセルラフォンであるという状況の下で本開示の複数の実施形態を説明することとなる。
【００１０】
無線通信システム１００は、非同期デュアルコネクティビティ機能を提供されてもよい。非同期デュアルコネクティビティ動作においては、マスターeNodeB(MeNB)110と称されてもよい第1のeNodeB110は、セカンダリーeNodeB(SeNB)120と称されてもよい第2のeNodeB120と同期していなくてもよい。上記の場合には、MeNB110及びSeNB120は、それぞれ、異なるシステムフレーム番号(SFN)を有していてもよい。
【００１１】
UE130が現在MeNB110によってサービスを提供されていて、例えば、SeNB120にハンドオーバーされるべきである場合には、測定がそのハンドオーバーに先立って行われ、連続的なユーザエクスペリエンス(user experience)が保証されてもよい。上記の測定は、ある時間において生じてもよく、UE130は、ある時間的な測定ギャップにおいて上記の測定のための時間を決定してもよく、その時間的な測定ギャップの間、UE130の無線周波数(RF)受信機がSeNB120の空き周波数に同調させられていてもよく、MeNB110及びSeNB120のそれぞれの空き周波数でのUE130のデータ送信/データ受信が禁じられていてもよい。測定ギャップは、3GPP技術仕様書"3rd  Genaration  Partnership  Project;  Technical  Specification  Group  Radio  Access  Network;  Evolved  Universal  Terrestrial  Radio  Access(E-UTRA);  Requirements  for  support  of  radio  resource  management  (Release  12)"(以下では、"TS 36.133  specification"と称されるTS 36.133  v12.4.0,  2014-07-04)及び技術仕様書"3rd  Generation  Partnership  Project;  Technical  Specification  Group  Radio  Access  Network;  Evolved  Universal  Terrestrial  Radio  Access(E-UTRA);  Radio  Resource  Control  (RRC);  Protocol  specification  (Release 12)"(以下では、"TS 36.331 specification"と称されるTS  36.33  v12.2.0,2014-07-04)において指定される構成を有してもよい。上記のプロセスは、UE130がSeNB120によってサービスを提供されている場合にも適用される。
【００１２】
図2は、さまざまな実施形態にしたがった測定ギャップを含むフレーム構造の概略図を示している。図2においては、7つの連続的な無線フレームが示されており、上記の7つの連続的な無線フレームは、時間的な順序で1から7までの番号を付されている。各々の無線フレームは、10[ms]間隔をあけられており、1[ms]の長さの10個のサブフレームに分けられている。図2において、番号1及び5の2つのフレームの各々が、ハッチング領域で示されている測定ギャップを含んでいる。TS36.133によれば、測定ギャップは、規則的に生じてもよく、測定ギャップ反復周期(MGRP)は、40[ms]又は80[ms]であってもよい。MGRPは、図2においてTperiodで示されているように40[ms]であってもよい。下側の部分の拡大図に示されているように、測定ギャップは、Tgapで示されているように6[ms]の期間であってもよく、実際の測定のための5[ms]の時間期間(Tmeas)及びそのTmeasの始端及び終端の双方にある、例えば、各々が0.5[ms]の2つのマージン(Tmargin)を含んでいてもよい。これらのマージンの期間の間、UE130の中のRF受信機は、測定されるべき周波数に同調していてもよく、また、その測定されるべき周波数のために再構成されていてもよく、これらの理由から、上記のマージンは、保護の目的のために提供されてもよい。測定ギャップの外側の図2のサブフレームの間、UE130は、UE130にサービスを提供しているeNodeBからデータを受信してもよく、そのeNodeBにデータを送信してもよい。
【００１３】
上記のように、MeNB110及びSeNB120は、異なるSFNを有していてもよい。SFNの上記の違いに起因して、MeNB110と関連するマスターセルグループ(MCG)のためのタイミング及びSeNB120と関連するセカンダリーセルグループ(SCG)のためのタイミングに合うように不連続的な受信(DRX)及び測定ギャップを整列させることはできない。MeNB110は、MeNB110とSeNB120との間のSFNの差及びサブフレームタイミング差を取得することにより、MCGとSCGとの間でDRXの時及び測定ギャップの時を整列させることができるが、上記の整列は精密ではなく、MeNB110のサブフレームのタイミングとSeNB120のサブフレームのタイミングとの間で依然として差が存在する。上記の差は、最大でサブフレームの半分であってもよく、MCG又はSCGのいずれかが、他方と比較して進んでいてもよい。
【００１４】
図3は、MeNBのための例示的なサブフレームのタイミング及びSeNBのための例示的なサブフレームのタイミングを図示しており、図3においては、MCGが、サブフレームの半分だけSCGよりも進んでおり、上記のタイミングオフセットは、OFによって示されている。図3の例示的なシナリオでは、2つの最初のサブフレーム（第1の無線フレームの8番のサブフレーム及び9番のサブフレーム）及び4つの最後尾のサブフレーム（第2の無線フレームの6番乃至9番のサブフレーム）においてデータ送信/データ受信が実行されてもよく、測定ギャップは第2の無線フレームの0番乃至5番のサブフレームにわたって広がっている。しかしながら、図3からわかるように、タイミングオフセットOFにより、MCGのための測定ギャップの(斜線で示されている)最初のマージンは、実際には、SCGのためのデータ送信/データ受信期間の終端と重複し、SCGのための測定ギャップの(斜線で示されている)最後尾のマージンは、MCGのための後続のデータ送信/データ受信期間の始端と重複している。結果として、中断が、対応するサブフレーム(点を付されたサブフレーム)の間のデータ送信/データ受信の際に発生することとなる。
【００１５】
図4は、修正されたギャップ構成を示しており、その構成においては、7[ms]の中断ギャップ長さIgapを有する中断ギャップが、いくつかの実施形態にしたがったMCG及びSCGの双方のための6[ms]のTgapを有する2つの測定ギャップを包含している。中断ギャップは、(TmeasとTmarginの合計には必ずしも限定される必要はないが、測定ギャップと同様に)データ送信/データ受信がMCG及びSCGのそれぞれで禁止されるギャップであってもよい。上記の修正により、MCGの6番のサブフレームではいかなる中断も発生しないことが理解できるが、その理由は、RF受信機がSCGのための測定ギャップの最後尾のマージンで再び同調させられる際に、MCGの(点を付されたサブフレームで示される)対応するサブフレームは、中断ギャップの中に依然として位置し、いかなるデータも送信され/受信されていないからである。これに対して、RF受信機は、MCGの7番のサブフレームでは再び同調させる操作をすでに完了しており、データ送信/受信の準備ができている。また一方、MCG及びSCGを測定する際に、RF同調が別々に開始される場合、例えば、UEが、MCGの測定ギャップの開始時及びSCGの測定ギャップの開始時に個別にRFチャネルを切り替える場合には、中断は、図示されているように、SCGの(図4の水平方向の線を付されたサブフレームで示される)最初のサブフレームである9番のサブフレームで依然として発生する可能性がある。
【００１６】
図5は、本開示のさまざまな実施形態にしたがったギャップ構成を図示している。それらのさまざまな実施形態によれば、SCGのための中断ギャップ長さは、MCGのための中断ギャップ長さよりも長く、SCGのための中断ギャップの開始点は、MCGのための中断ギャップの開始点と同等であるか、または1つのサブフレームよりも短い時間長だけMCGのための中断ギャップの開始点よりも進んでいる。本実施形態において、MCGの測定ギャップおよび中断ギャップは同一であるが、一方で、SCGの中断ギャップは、SCGの測定ギャップ測定ギャップよりもより長い。複数の実施形態において、SCGのための中断ギャップは、MCGのための中断ギャップよりも遅れて開始することはないが(例えば、MCGのための中断ギャップよりもより早く、又はMCGのための中断ギャップと同時に開始してもよいが)、MCGのための中断ギャップよりも遅れて終了してもよい。このようにして、本開示の複数の実施形態は、測定ギャップが、MCGとSCGとの間で整列させられることを可能にする。具体的には、MCG及びSCGのための測定ギャップのギャップ長さは、例えば、6[ms]等のTS36.133仕様書で指定されているギャップ長さと同じであってもよいが、一方で、SCGのための中断ギャップのギャップ長さは、例えば、7[ms]まで伸ばされてもよい。図5に示されている例示的なシナリオにおいては、MCGのための測定ギャップTgap(及び中断ギャップIgap)は、2番目の無線フレームである0番のサブフレームで開始し、5番のサブフレームで終了する。
【００１７】
以下の表1は、いくつかの実施形態にしたがってUEによってサポートされる複数のギャップパターン構成を示している。表1は、TS36.133仕様書の表8.1.2.1-1を置き換えるものと考えられてもよい。
【００１８】
【表１】
2017523733.tif 000003
【００１９】
1つの実施形態において、SFN及びサブフレーム境界の整列は、ギャップの構成に先立ってMeNB110によって実行されてもよく、それによってMCGとSCGとの間のタイミング差が、±0.5[ms]の範囲を超えないようにしてもよい。SFN及びサブフレーム境界整列を実行する特定の動作は、本発明の技術分野の当業者には既知であり、詳細には説明されない。
【００２０】
MCGがSCGと比較して時間的に進んでいて、タイミングオフセットOF1が0.5[ms]である場合には、例えば、SCGの中断ギャップの最初のサブフレームのインデックスが、MCGのための中断ギャップの最初のサブフレームのインデックスと比較して1つ前から始まるように、SCGのための中断ギャップを構成してもよい。そのような例は、図5の第2行目に与えられており、SCGのための中断ギャップIgapが、第1の無線フレームの9番のサブフレームで開始することが理解できる。MCGがSCGと比較して時間的に進んでいるが、タイミングオフセットOF2が、例えば、0[ms]と0.5[ms]の間の0.5[ms]よりも小さい値である場合には、SCGのための中断ギャップの最初のサブフレームのインデックスが、MCGのための中断ギャップの最初のサブフレームのインデックスと比較して直前のインデックスとなるように、SCGのための中断ギャップを構成してもよい。上記の例は、図5の第3行に示されており、この例においては、MCGは、SCGと比較して約0.25[ms]時間的に進んでおり、SCGのための中断ギャップIgapは、第1の無線フレームの9番のサブフレームで開始している。また一方で、SCGがMCGと比較して時間的に進んでいる場合には、SCGのための中断ギャップは、MCGのための中断ギャップの最初のサブフレームのインデックスが、MCGのための中断ギャップの最初のサブフレームのインデックスと同一となるように、SCGのための中断ギャップを構成してもよい。例えば、図5の最下行において、SCGのための中断ギャップIgapは、第2の無線フレームの0番のサブフレームで開始する。
【００２１】
上記の例示的な実施形態において、MCG及びSCGのための測定ギャップは、各々、同じであってもよく、各々、実際の測定のための時間期間(Tmeas)を含んでいてもよく、それぞれ、Tmeasの始端及び終端に2つのマージンを含んでいてもよい。時間期間Tmeasは、例えば、5[ms]であってもよく、上記の2つのマージンの各々は、例えば、0.5[ms]であってもよい。もちろん、これらのマージンのための他の継続時間を使用してもよい。さらなる実施形態において、MCGのための測定ギャップの先頭のマージンは、SCGのための測定ギャップの先頭のマージンと実質的に整列させられてもよい。
【００２２】
図6は、本開示のさまざまな実施形態にしたがった無線通信のための方法600を図示している。ステップS610において、MeNB110は、MeNB110と関連するMCGのための複数のギャップの第1の構成情報を設定してもよい。第1の構成情報は、ギャップの長さ及びその測定ギャップの始点を指定してもよい。ギャップの長さは、表1で指定されているように6[ms]であってもよく、従来の測定ギャップ構成手順を使用して始点を決定してもよい。例えば、TS36.331仕様書の§5.5.2.9は、MeasGapConfig情報要素に基づいて(SFN及びサブフレーム等の)始点を決定する手順を提示しており、その手順は、以下のように再現される。
【００２３】
【数１】
2017523733.tif 000004
【００２４】
ステップS620において、MeNB110は、SeNB120と関連するSCGのための複数のギャップの第2の構成情報を設定してもよい。第2の構成情報は、SeNB120が、SCGのための測定ギャップ/中断ギャップのギャップ長さ及び始点を決定するのを可能にしてもよい。上記のように、MeNB110及びSeNB120は、非同期デュアルコネクティビティ機能を提供してもよく、したがって、異なるSFNを有していてもよい。実施形態によれば、非同期デュアルコネクティビティの場合には、SCGのための中断ギャップのギャップ長さは、SCG及びMCGもための測定ギャップのギャップ長さよりも長くてもよく、それ以外の場合には、SCGのための中断ギャップのギャップ長さは、測定ギャップのギャップ長さと同じであってもよい。例えば、中断ギャップのギャップ長さは、1つのサブフレームだけ測定ギャップのギャップ長さよりも長くてもよく、表1との関連で7[ms]であってもよい。さらに、中断ギャップの始点は、1つのサブフレームよりも短い時間長だけ双方の測定ギャップの始点と比較して時間的に進んでいてもよい。
【００２５】
ステップS630において、MeNB110は、第1の構成情報及び第2の構成情報を含む1つ又は複数のメッセージをUE130及び/又はSeNB120に送信してもよい。例えば、第1の構成情報は、無線リソース制御(RRC)シグナリングを介してUE130に送信されてもよく、例えば、以下で再現されるように、TS36.331仕様書で定義されているようなMeasGapConfig情報要素を含んでもよい。
【００２６】
【数２】
2017523733.tif 000005
【００２７】
第2の構成情報は、例えば、バックホールを介してSeNB120に送信されてもよい。第2の構成情報は、SCGのための測定ギャップTgap及び中断ギャップIgapのギャップ長さ及びタイミング情報を含んでもよく、それによってSeNB120が、図5を参照して上記で説明される複数の実施形態にしたがってSCGのための測定ギャップ及び中断ギャップを構成することが可能となるようにしてもよい。さまざまな実施形態によれば、SCGのためのギャップのタイミング情報は、MeNB110とSeNB120との間のタイミングオフセットを含んでもよい。
【００２８】
方法600により、UE130にギャップ構成情報を提供することが可能となり、ギャップ構成情報は、UE130が周波数間測定を適切に開始することを可能にする。また、方法600により、SCGのための測定ギャップ/中断ギャップのギャップ構成情報をSeNB120に提供することが可能となり、それによってMCGとSCGとの間で複数の測定ギャップを整列させることが可能となる。上記のことは、UE130が、常に、MeNB110及びSeNB120の双方が送信/受信を禁止されるギャップの中で測定を実行することが可能であり、そして、MeNB110及びSeNB120に測定結果を報告することが可能であるということを保証する。さらに、MeNB110によって実行されると説明されているが、本発明の技術分野の当業者は、ソフトウェア、ハードウェア、ファームウェア、又はそれらの組み合わせによって方法600の動作を実行してもよいということを理解するであろう。例えば、MeNB110のプロセッサ又はコントローラ、或いはプロセッサ又はコントローラの中の1つ又は複数のチップセットは、方法600の動作のうちのいくつか又はすべてを実行するように動作可能であってもよい。他の例として、MeNB110は、複数の命令を格納している1つ又は複数の非一時的コンピュータ読み取り可能な記憶媒体を含んでもよく、それらの1つ又は複数の命令は、1つ又は複数のプロセッサによって実行されると、MeNB110に方法600の動作のうちのいくつか又はすべてを実行させることができる。
【００２９】
方法600においては、SFN及びサブフレーム番号によってギャップの始点を指定してもよく、MeNB110は、MeNB110とSeNB120との間でSFN及びサブフレーム境界の整列を実行してもよい。上記のSFN及びサブフレーム境界の整列は、MCGとSCGとの間のタイミング差を±0.5[ms]以内に制限してもよい。
【００３０】
方法600においては、MeNB110は、MeNB110のサブフレームのタイミングとSeNB120のサブフレームのタイミングとの間の差を決定してもよい。上記の決定は、例えば、第1の構成情報を含む1つ又は複数のメッセージをUE130に送信する前またはその後のいずれかの適切な時間に行われてもよい。MeNB110のサブフレームのタイミングがSeNB120のサブフレームのタイミングと比較して時間的に進んでいるということを上記の決定した差が示していることに応答して、MeNB110は、第2の構成情報を設定してもよく、それによってSCGの中断ギャップが開始することとなるサブフレームのサブフレーム番号が、測定ギャップが開始することとなるサブフレームのサブフレーム番号と比較して時間的に直前となるようにしてもよい。代替的に、MeNB110のサブフレームのタイミングがSeNB120のサブフレームのタイミングと比較して時間的に進んではいないということを上記の決定した差が示していることに応答して、MeNB110は、第2の構成情報を設定してもよく、それによって中断ギャップが開始することとなるサブフレームのサブフレーム番号が、測定ギャップが開始することとなるサブフレームのサブフレーム番号と等しくなるようにしてもよい。上記では、MeNB110が、中断ギャップの開始サブフレーム番号を示すように第2の構成情報を設定するということを議論してきたが、他の実施形態においては、SeNB120は、例えば、測定ギャップ情報、中断ギャップのギャップ長さ及び/又はタイミング情報に基づいて、上記の差を決定してもよい。第2の構成情報は、上記の情報のうちのいくつか又はすべてを含んでいてもよい。
【００３１】
方法600において、測定ギャップの各々は、1つ第1の保護マージン、その第1の保護マージンの後に続く1つの測定期間、及びその1つの測定期間の後に続く1つの第2の保護マージンを含んでもよい。例えば、各々の測定ギャップは、図5に示されているように、5[ms]の測定期間が後に続いている0.5[ms]の1つのマージン、同様にして、別の0.5[ms]のマージンが後に続いている5[ms]の測定期間を含んでいてもよい。さらなる実施形態において、第1の測定ギャップの第1の保護マージンは、第2の測定ギャップの第1の保護マージンと実質的に整列させられていてもよい。
【００３２】
図7は、さまざまな実施形態にしたがったフローチャート700を図示している。フローチャート700は、ステップS710において、MeNB110等のMeNBがUE130等のUEに第1の構成情報を送信するステップを含んでいる。第1の構成情報は、例えば、MeasGapConfig IE等の情報をUEに提供してもよく、MeasGapConfig  IE等の情報は、図6を参照して説明された情報と同様に、MCG及びSCGのための測定ギャップをUEが決定するのを可能にし、上記のMCG及びSCGのための測定ギャップは、例えば、周波数間の測定等の測定を提供するのに使用されてもよい。
【００３３】
フローチャート700は、さらに、ステップ720及びステップ730において、MeNB及びSeNB120等のSeNBgが、タイミングオフセットを実行し、MeNBとSeNBとの間のタイミングを取得するステップを含んでいてもよい。上記の方法において、MeNBは、SNF及びサブフレーム境界の整列を実行してもよく、それによってMCGのサブフレーム境界とSCGのサブフレーム境界との間のタイミング差が、±0.5[ms]の範囲を超えないようにしてもよい。さらに、MeNB/SeNBは、SeNBのサブフレームのタイミングとMeNBのサブフレームのタイミングとの間の関係を決定してもよく、いずれのサブフレームがSCGの中断ギャップの始点となるべきかについての決定を通知してもよい。
【００３４】
フローチャート700は、さらに、ステップ740において、MeNBがSeNBに第2の構成情報を送信するステップを含んでいてもよい。上記で議論されているように、第2の構成情報は、中断ギャップ及び測定ギャップをSeNBが決定するのを可能とする情報を含んでいてもよい。いくつかの実施形態において、第2の構成情報は、MeasGapConfig IEの中で提供される情報と同様の測定ギャップ情報及び中断ギャップの長さの指標を含んでいてもよい。SeNBは、上記の情報を使用して、中断ギャップの開始サブフレームを決定してもよい。いくつかの実施形態において、中断ギャップの開始サブフレームは、MeNBからSeNBに送信される第2の構成情報に含まれていてもよい。
【００３５】
フローチャート700は、さらに、ステップS750において、UEが第1の構成情報の中で提供される特定の測定パターンに関してMCG及びSCGのRF同調ギャップ整列及び測定を実行するステップを含んでもよい。UEは、MCG測定及びSCG測定の双方のための決定された測定ギャップ期間の始端において自身のRF回路を同調させてもよい。SCG測定は、ステップS760においてSeNBに送信されてもよく、MCG測定は、ステップS770においてMeNBに送信されてもよい。
【００３６】
図8Aは、本開示のさまざまな実施形態にしたがったeNodeB800の単純化されたブロック図を図示している。eNodeB800は、図1のMeNB110として実装されてもよい。図8Aに示されているように、eNodeB800は、プロセッサ810を含んでいる。プロセッサ810は、1つ又は複数のシングルコアプロセッサ又はマルチコアプロセッサを含んでもよく、汎用プロセッサ及び(グラフィックプロセッサ、アプリケーションプロセッサ、ベースバンドプロセッサ等の)専用プロセッサのいずれかの組み合わせを含んでもよい。eNodeB800は、さらに、送信機820を含んでいてもよい。送信機820は、例えば、バス830を介してプロセッサ810に接続されていてもよい。
【００３７】
プロセッサ810は、方法600の動作のうちのいくつか又はすべてをを実行するように構成されてもよく、図5を参照して上記で説明されたギャップ構成を実装するように構成されてもよい。例えば、プロセッサ810は、eNodeB800と関連するMCG及びSCGのための測定ギャップの第1の構成情報を設定するように構成されてもよく、また、SeNBと関連するSCGのためのギャップの第2の構成情報を設定するように構成されてもよく、それによって中断ギャップが、測定ギャップより遅れて開始することはなく、かつ、測定ギャップよりも後に終了するようにしてもよい。送信機820は、第1の構成情報及び第2の構成情報を含む1つ又は複数のメッセージをUE及びSeNBにそれぞれ送信するように構成されてもよい。例えば、測定ギャップは、6個のサブフレームのギャップ長さを有していてもよく、中断ギャップは、7個のサブフレームのギャップ長さを有していてもよく、中断ギャップは、1つのサブフレームよりも小さな時間的な長さだけ測定ギャップよりも早く開始してもよい。SeNBは、図1のSeNB120として実装されてもよく、eNodeB800は、SeNBにLTEネットワーク内での非同期デュアルコネクティビティ機能を提供するように構成されてもよい。
【００３８】
1つの実施形態において、eNodeB800は、1つの測定回路840を含んでもよく、測定回路840は、eNodeB800のサブフレームのタイミングとセカンダリーeNodeB(SeNB)のサブフレームのタイミングとの間の差を決定するように構成されてもよい。いくつかの実施形態において、測定回路840は、上記の決定されたさに基づいて境界整列を実行してもよい。eNodeB800は、本発明の技術分野の当業者に知られているいずれかの他の構成要素を含んでもよい。
【００３９】
図8Bは、本開示のさまざまな実施形態にしたがったeNodeB850の単純化されたブロック図を図示している。eNodeB850は、図1のSeNB120として実装されてもよい。図8Bに示されているように、eNodeB850は、トランシーバ回路860を含んでもよく、トランシーバ回路860は、無線通信インターフェイスを介してUE130等のUEとの間でデータ送信/データ受信を実行し、バックホール通信インターフェイスを介してMeNBとの間でデータ送信/データ受信を実行するように動作可能であってもよい。eNodeB850は、構成回路870を含んでもよく、構成回路870は、UEとの間でのデータ送信/データ受信が禁止される期間である中断ギャップを決定するように動作可能であってもよい。構成回路870は、本発明の技術分野の当業者に既知であるいずれかの方法で、例えば、バス880を介してトランシーバ回路860と接続されてもよい。eNodeB850では、中断ギャップは、MeNB110等のMeNBから受信した構成情報に基づいて決定されてもよい。構成情報は、トランシーバ回路860を介して又はeNodeB850の中の他の受信回路を介して受信されてもよい。中断ギャップは、eNodeB850とMeNBとの間の非同期接続の場合には、7[ms]のギャップ長さを有していてもよく、上記以外の場合には、6[ms]のギャップ長さを有していてもよい。
【００４０】
図9は、本開示のさまざまな実施形態にしたがった図1のUE130の単純化されたブロック図を図示している。図9に示されているように、UE130は、プロセッサ910、無線周波数(RF)回路940、及びメモリ930を含む。プロセッサ910は、1つ又は複数のシングルコアプロセッサ又はマルチコアプロセッサを含んでもよく、汎用プロセッサ及び(グラフィックスプロセッサ、アプリケーションプロセッサ、及びベースバンドプロセッサ等の)専用プロセッサのいずれかの組み合わせを含んでいてもよい。さまざまな実施形態にしたがって、プロセッサ910(及び、特に、プロセッサ910のベースバンドチップセット等)は、構成ロジック及びRF制御ロジックを含んでもよい。構成ロジックは、1つ又は複数の構成情報メッセージに基づいて、MeNB110及びSeNB120のためのギャップ情報を決定するように動作可能であってもよく、SeNB120は、MeNB110と非同期であってもよく、構成ロジックは、さらに、上記のギャップ情報に基づいて、MeNB110及びSeNB120のための測定ギャップ/中断ギャップを決定するように動作可能であってもよい。RF制御回路は、測定ギャップ情報に基づいて、RF回路940を同調させて、周波数間測定を実行するように動作可能である。RF回路940の同調は、測定ギャップの始まりの時点で行われてもよい。例えば、構成回路は、MeNB110から受信したMeasConfig情報要素から1つ又は複数のMeasGapConfig情報要素を抽出してもよく、これらの1つ又は複数のMeasGapConfig情報要素に基づいてMeNB110及びSeNB120のための測定ギャップの構成を決定してもよい。MeNB110及びSeNB120は、6個のサブフレームの測定ギャップ長さを有してもよく、SeNB120は、7個のサブフレームの中断ギャップ長さを有してもよい。これらのギャップ長さは、測定ギャップ情報の中で指定されてもよく、又は、いずれかの他の方法で設定されてもよい。図5を参照して上記で説明された測定ギャップ構成を適用してもよい。
【００４１】
本開示のさまざまな実施形態にしたがって、RF制御回路は、さらに、RF回路940を再び同調させて、SCG又はMCGのサービングセルにおいてデータを送信し又はデータを受信するように構成されてもよい。本開示のさまざまな実施形態にしたがって、同調の開始から再同調の完了までの時間は、MCGとSCGとの間で整列させられてもよい。
【００４２】
RF回路940は、例えば、バス930を介してプロセッサ910に接続されてもよく、MeNB110と関連するMCGのサービングセルにおいてデータを送信し又はデータを受信するのに使用されるとともにSeNB120と関連するSCGのサービングセルにおいてデータを送信し又はデータを受信するのに使用されてもよい。RF回路940は、プロセッサ910の制御下である指定された周波数に同調させられ、周波数間測定を含む測定を実行してもよい。
【００４３】
メモリ920は、複数の命令を格納している1つ又は複数の非一時的コンピュータ読み取り可能な記憶媒体を含んでもよく、上記の複数の命令は、プロセッサ910によって実行されると、UE130に、プロセッサ910と関連して上記で説明された動作を実行させてもよい。しかしながら、上記のことは、限定的なものではなく例示的なものに過ぎず、本発明の技術分野の当業者は、ソフトウェア、ハードウェア、ファームウェア、又はそれらのいずれかの組み合わせによる代替的な実装を理解するであろう。
【００４４】
本明細書で説明される複数の実施形態は、いずれかの適切に構成されるハードウェア及び/又はソフトウェアを使用するシステムとして実装することができる。図10は、本開示のさまざまな実施形態に従った無線通信システム1000の一般的なブロック図を図示しており、無線通信システム1000は、少なくとも図示されているようにたがいに接続されている無線周波数(RF)回路1010、ベースバンド回路1020、アプリケーション回路1030、メモリ/記憶装置1040、ディスプレイ1050、カメラ1060、センサ1070、及び入力/出力(I/O)インターフェイス1080を含んでいる。無線通信システム1000は、図1のUE130の1つの実施形態を実装してもよい。
【００４５】
アプリケーション回路1030は、これらには限定されないが、1つ又は複数のシングルコアプロセッサ又はマルチコアプロセッサ等の回路を含んでいてもよい。1つ又は複数のプロセッサは、汎用プロセッサ及び(例えば、グラフィックプロセッサ及びアプリケーションプロセッサ等の)専用プロセッサのいずれかの組み合わせを含んでもよい。上記の1つ又は複数のプロセッサは、メモリ/記憶装置1040と接続されていてもよく、また、メモリ/記憶装置1040に格納されている複数の命令を実行して、さまざまなアプリケーション及び/又はオペレーティングシステムがシステム上で実行されるのを可能にするように構成されてもよい。
【００４６】
ベースバンド回路1020は、これらには限定されないが、1つ又は複数のシングルコアプロセッサ又はマルチコアプロセッサ等の回路を含んでもよい。上記の1つ又は複数のプロセッサはベースバンドプロセッサを含んでもよい。ベースバンド回路1020は、さまざまな無線制御機能を取り扱ってもよく、それらの無線制御機能は、RF回路1010を介して1つ又は複数の無線ネットワークとの通信を可能にしてもよい。無線制御機能は、これらには限定されないが、信号変調、符号化、復号化、無線周波数偏移等を含んでもよい。いくつかの実施形態において、ベースバンド回路1020は、1つ又は複数の無線技術と互換性がある通信を提供してもよい。例えば、いくつかの実施形態において、ベースバンド回路1020は、次世代ユニバーサル地上波無線アクセスネットワーク(E-UTRAN)及び/又は他の無線大都市圏ネットワーク(WMAN)、無線ローカルエリアネットワーク(WLAN)、及び無線パーソナルエリアネットワーク(WPAN)との通信をサポートしてもよい。複数の実施形態において、マルチモードベースバンド回路と称されるベースバンド回路1020は、1つより多くの無線プロトコルの無線通信をサポートするように構成されてもよい。さまざまな実施形態において、ベースバンド回路1020は、厳密には、ベースバンド周波数内に存在するとは考えられていない信号で動作する回路を含んでもよい。例えば、いくつかの実施形態において、ベースバンド回路1020は、ベースバンド周波数と無線周波数との間にある中間周波数を有する信号で動作する回路を含んでもよい。
【００４７】
RF回路1010は、非個体媒体を通過する変調された電磁放射を使用して複数の無線ネットワークとの通信を可能にしてもよい。さまざまな実施形態において、RF回路1010は、スイッチ、フィルタ、及び増幅器等を含み、無線ネットワークとの通信を容易にしてもよい。RF回路1010は、厳密には、無線周波数内に存在するとは考えられていない信号で動作する回路を含んでもよい。例えば、いくつかの実施形態において、RF回路1010は、ベースバンド周波数と無線周波数との間にある中間周波数を有する信号で動作する回路を含んでもよい。
【００４８】
さまざまな実施形態において、UE又はeNodeBの(プロセッサ810又は910、送信機820、測定回路840、メモリ920、又はRF回路940等の)上記の構成要素は、RF回路1010、ベースバンド回路1020、及び/又はアプリケーション回路1030のうちの1つ又は複数で全体的に又は部分的に実装されてもよい。本明細書で使用されているように、"回路"の語は、特定用途向け集積回路(ASIC)、電子回路、(共有、専用、又はグループを問わず)プロセッサ、及び/又は(共有、専用、又はグループを問わず)メモリを指してもよく、また、これらの部分であってもよく、或いは、これらを含んでもよく、これらの回路は、1つ又は複数のソフトウェアプログラム又はファームウェアプログラム、組合せ論理回路及び/又は他の適切なハードウェア構成要素を実装し、これらのプログラム及びハードウェア構成要素は、上記で説明された機能を提供する。いくつかの実施形態において、電子デバイス回路は、1つ又は複数のソフトウェアモジュールまたはファームウェアモジュールの中で実装されてもよく、或いは、その電子デバイス回路と関連する複数の機能が、1つ又は複数のソフトウェアモジュールまたはファームウェアモジュールによって実装されてもよい。
【００４９】
メモリ/記憶装置1040は、例えば、システムのためのデータ及び/又は命令をロードしそして格納するのに使用されてもよい。メモリ/記憶装置1040は、(ダイナミックランダムアクセスメモリ(DRAM)等の)適切な揮発性メモリ及び/又は(フラッシュメモリ等の)不揮発性メモリのいずれかの組み合わせを含んでもよい。
【００５０】
いくつかの実施形態において、ベースバンド回路1020、アプリケーション回路1030、及び/又はメモリ/記憶装置1040等の構成要素のうちのいくつか又はすべては、1つのシステムオンチップ(SoC)の上で一緒に実装されてもよい。
【００５１】
さまざまな実施形態において、I/Oインターフェイス1080は、1つ又は複数のユーザインターフェイスを含んでもよく、これらのユーザインターフェイスは、システム1000及び/又は周辺構成要素インターフェイスとのユーザのインタラクションを可能にするように設計されていてもよく、周辺構成要素インターフェイスは、システム1000との周辺構成要素のインタラクションを可能にするように設計されていてもよい。ユーザインターフェイスは、これらには限定されないが、物理的なキーボード又はキーパッド、タッチパッド、スピーカ、マイクロフォン等を含んでもよい。周辺構成要素インターフェイスは、これらには限定されないが、不揮発性メモリポート、ユニバーサルシリアルバス(USB)ポート、オーディオジャック、及び給電インターフェイスを含んでもよい。
【００５２】
さまざまな実施形態において、センサ1070は、1つ又は複数のセンサデバイスを含んでもよく、これらのセンサデバイスは、システム1000に関する環境状況及び/又は位置情報を決定してもよい。いくつかの実施形態において、センサ1070は、これらには限定されないが、ジャイロセンサ、加速度計、近接センサ、周辺光センサ、及び/又は位置決定ユニットを含んでもよい。位置決定ユニットは、ベースバンド回路1020及び/又はRF回路1010の一部であってもよく、又はこれらの回路と相互作用をしてもよく、例えば、全地球的測位システム(GPS)衛星等の位置決定ネットワークの構成要素と通信してもよい。
【００５３】
さまざまな実施形態において、ディスプレイ1050は、(例えば、液晶ディスプレイ及びタッチスクリーンディスプレイ等の)表示装置を含んでもよい。さまざまな実施形態において、カメラ1060は、例えば、電荷結合素子(CCD)撮像装置及び/又は相補型金属酸化膜半導体(CMOS)撮像装置等の半導体撮像装置を含んでもよい。
【００５４】
さまざまな実施形態において、システム1000は、これらには限定されないが、ラップトップコンピューティングデバイス、タブレットコンピューティングデバイス、ネットブック、ウルトラブック(登録商標)、及びスマートフォン等のモバイルコンピューティングデバイスであってもよい。さまざまな実施形態において、システム1000は、より多くの又はより少ない構成要素及び/又は異なるアーキテクチャを有していてもよい。
【００５５】
以下に続く段落は、さまざまな実施形態の複数の例を説明している。
【００５６】
例1は、ユーザ機器(UE)において使用される装置であって、当該装置は、1つ又は複数の構成情報メッセージに基づいてマスター進化型NodeB(MeNB)のための測定ギャップを決定するように動作可能な構成回路であって、前記マスター進化型NodeB(MeNB)は、マスターセルグループ(MCG)を提供するように動作可能であり、前記マスターセルグループ(MCG)は、セカンダリー進化型NodeB(SeNB)のセカンダリーセルグループ(SCG)とは非同期状態にあり、前記マスターセルグループ(MCG)のサブフレーム境界は、前記セカンダリーセルグループ(SCG)のサブフレーム境界とは異なっている、構成回路と、前記マスターセルグループ(MCG)のサブフレーム境界に基づいて前記測定ギャップの始端において無線周波数(RF)回路を同調させて、前記無線周波数(RF)回路に周波数間測定を開始させるように動作可能である無線周波数(RF)制御回路とを含み、前記無線周波数(RF)回路は、前記マスターセルグループ(MCG)のサービングセル及び前記セカンダリーセルグループ(SCG)のサービングセルにおいてデータを送信し又は受信するのに使用されるように構成される、装置を含む。
【００５７】
例2は、例1の装置を含み、前記無線周波数(RF)制御回路は、さらに、前記測定ギャップの終端において前記無線周波数(RF)回路を再び同調させて、前記セカンダリーセルグループ(SCG)又は前記マスターセルグループ(MCG)の前記サービングセルにおいてデータを送信させ又はデータを受信させるように動作可能である。
【００５８】
例3は、例2の装置を含み、同調動作の開始から再同調動作の終わりまでの時間は、前記マスターセルグループ(MCG)と前記セカンダリーセルグループ(SCG)との間で整列させられる。
【００５９】
例4は、例1乃至3のいずれか1つの装置を含み、前記マスター進化型NodeB(MeNB)のための前記測定ギャップは、第1の保護マージン、前記第1の保護マージンに続く測定期間、及び前記測定期間に続く第2の保護マージンを含む。
【００６０】
例5は、例4の装置を含み、前記マスター進化型NodeB(MeNB)のための前記測定ギャップの前記第1の保護マージンは、前記セカンダリー進化型NodeB(SeNB)のための測定ギャップの第1の保護マージンと実質的に整列させられ、前記マスター進化型NodeB(MeNB)のための前記測定ギャップの前記第2の保護マージンは、前記セカンダリー進化型NodeB(SeNB)のための前記測定ギャップの第2の保護マージンと実質的に整列させられる。
【００６１】
例6は、例1乃至5のいずれか1つの装置を含み、当該装置は、前記ユーザ機器(UE)のベースバンドチップセットの中に含まれている。
【００６２】
例7は、例1乃至6のいずれか１つの装置を含み、前記セカンダリー進化型NodeB(SeNB)のための中断ギャップは、前記マスター進化型NodeB(MeNB)のための前記測定ギャップよりも遅れて開始することはなく、前記マスター進化型NodeB(MeNB)のための前記測定ギャップよりも後に終了する。
【００６３】
例8は、マスター進化型NodeB(MeNB)を含み、当該マスター進化型NodeB(MeNB)は、当該マスター進化型NodeB(MeNB)と関連するマスターセルグループ(MCG)のための測定ギャップの第1の構成情報を設定し、セカンダリー進化型NodeB(SeNB)と関連するセカンダリーセルグループ(SCG)のためのギャップの第2の構成情報を設定し、それによって前記セカンダリーセルグループ(SCG)の中断ギャップが、前記測定ギャップよりも先に開始し、前記測定ギャップよりも後に終了するようにするプロセッサであって、前記セカンダリー進化型NodeB(SeNB)は、前記マスター進化型NodeB(MeNB)と非同期状態になるように動作可能である、ように構成されるプロセッサと、前記第1の構成情報をユーザ機器(UE)に送信し、前記第2の構成情報を前記セカンダリー進化型NodeB(SeNB)に送信するように構成される送信機とを含む。
【００６４】
例9は、例8のマスター進化型NodeB(MeNB)を含み、第1の測定ギャップは、6個のサブフレームのギャップ長さを有し、第2の測定ギャップは、7個のサブフレームのギャップ長さを有する。
【００６５】
例10は、例8及び9のいずれか1つのマスター進化型NodeB(MeNB)を含み、前記第1の構成情報は、第1のシステムフレーム番号(SFN)及び第1のサブフレーム番号によって前記測定ギャップの始点を指定し、前記第2の構成情報は、第2のシステムフレーム番号(SFN)及び第2のサブフレーム番号によって前記中断ギャップの始点を指定し、前記プロセッサは、さらに、前記マスター進化型NodeB(MeNB)と前記セカンダリー進化型NodeB(SeNB)との間でSFN及びサブフレーム境界の整列を実行するように構成される。
【００６６】
例11は、例10のマスター進化型NodeB(MeNB)を含み、当該マスター進化型NodeB(MeNB)は、前記マスター進化型NodeB(MeNB)のサブフレームのタイミングと前記セカンダリー進化型NodeB(SeNB)のサブフレームのタイミングとの間の差を決定するように構成される測定回路をさらに含み、前記プロセッサは、さらに、前記マスター進化型NodeB(MeNB)の前記サブフレームのタイミングが前記セカンダリー進化型NodeB(SeNB)の前記サブフレームのタイミングと比較して時間的に進んでいるということを前記差が示していることに応答して、前記第2の構成情報を設定し、それによって前記第2のサブフレーム番号が前記第1のサブフレーム番号と比較して時間的に直前となるようにし、そして、前記マスター進化型NodeB(MeNB)の前記サブフレームのタイミングが前記セカンダリー進化型NodeB(SeNB)の前記サブフレームのタイミングと比較して時間的に進んでいないということを前記差が示していることに応答して、前記第2の構成情報を設定し、それによって前記第2のサブフレーム番号が前記第1のサブフレーム番号と等しくなるようにする、ように構成される。
【００６７】
例12は、例8乃至11のいずれか1つのマスター進化型NodeB(MeNB)を含み、前記測定ギャップは、第1の保護マージン、前記第1の保護マージンに続く測定期間、及び前記測定期間に続く第2の保護マージンを含む。
【００６８】
例13は、例12のマスター進化型NodeB(MeNB)を含み、前記測定ギャップの前記第1の保護マージンは、前記セカンダリー進化型NodeB(SeNB)のための第2の測定ギャップの第1の保護マージンと実質的に整列させられる。
【００６９】
例14は、複数の命令を格納している1つ又は複数の非一時的コンピュータ読み取り可能な記憶媒体を含み、前記複数の命令は、1つ又は複数のプロセッサによって実行されると、マスター進化型NodeB(MeNB)に、前記マスター進化型NodeB(MeNB)のための測定ギャップの第1の構成情報を設定させ、前記第1の構成情報は、前記第1の測定ギャップのギャップ長さ及び始点を指定し、前記マスター進化型NodeB(MeNB)と非同期状態にあるセカンダリー進化型NodeB(SeNB)のための中断ギャップの第2の構成情報を設定させ、前記第2の構成情報は、前記中断ギャップのギャップ長さを指定し、そして、前記第1の構成情報及び前記第2の構成情報を含む1つ又は複数のメッセージを送信させ、前記中断ギャップの前記ギャップ長さは、前記測定ギャップの前記ギャップ長さよりも長い。
【００７０】
例15は、例14の1つ又は複数の非一時的コンピュータ読み取り可能な記憶媒体を含み、前記中断ギャップの始点は、前記測定ギャップの前記始点と同等であるか、又は前記測定ギャップの前記始点と比較して1つのサブフレームの継続時間より小さな時間だけ時間的に進んでいる。
【００７１】
例16は、例14及び15のいずれか1つの非一時的コンピュータ読み取り可能な記憶媒体を含み、前記測定ギャップの前記ギャップ長さは、6個のサブフレームであり、前記中断ギャップの前記ギャップ長さは、7個のサブフレームである。
【００７２】
例17は、例14乃至16のいずれか1つの非一時的コンピュータ読み取り可能な記憶媒体を含み、前記測定ギャップの前記始点は、第1のシステムフレーム番号(SFN)及び第1のサブフレーム番号によって指定され、前記中断ギャップの前記始点は、第2のシステムフレーム番号(SFN)及び第2のサブフレーム番号によって指定され、前記複数の命令は、前記1つ又は複数のプロセッサによって実行されると、前記マスター進化型NodeB(MeNB)に、前記マスター進化型NodeB(MeNB)と前記セカンダリー進化型NodeB(SeNB)との間でSFN及びサブフレーム境界の整列を実行させる。
【００７３】
例18は、例14乃至17のいずれか1つの非一時的コンピュータ読み取り可能な記憶媒体を含み、前記測定ギャップの前記始点は、第1のシステムフレーム番号(SFN)及び第1のサブフレーム番号によって指定され、前記中断ギャップの前記始点は、第2のシステムフレーム番号(SFN)及び第2のサブフレーム番号によって指定され、前記複数の命令は、前記1つ又は複数のプロセッサによって実行されると、さらに、前記マスター進化型NodeB(MeNB)に、前記マスター進化型NodeB(MeNB)のサブフレームのタイミングと前記セカンダリー進化型NodeB(SeNB)のサブフレームのタイミングとの間の差を決定させ、前記マスター進化型NodeB(MeNB)の前記サブフレームのタイミングが前記セカンダリー進化型NodeB(SeNB)の前記サブフレームのタイミングと比較して時間的に進んでいるということを前記決定された差が示していることに応答して、前記第2の構成情報を設定させ、それによって前記第2のサブフレーム番号が前記第1のサブフレーム番号と比較して時間的に直前となるようにする。
【００７４】
例19は、例14乃至18のいずれか1つの非一時的コンピュータ読み取り可能な記憶媒体を含み、前記測定ギャップの前記始点は、第1のシステムフレーム番号(SFN)及び第1のサブフレーム番号によって指定され、前記中断ギャップの前記始点は、第2のシステムフレーム番号(SFN)及び第2のサブフレーム番号によって指定され、前記複数の命令は、前記1つ又は複数のプロセッサによって実行されると、前記マスター進化型NodeB(MeNB)に、前記マスター進化型NodeB(MeNB)の前記サブフレームのタイミングが前記セカンダリー進化型NodeB(SeNB)の前記サブフレームのタイミングと比較して時間的に進んでいないということを前記差が示していることに応答して、前記セカンダリー進化型NodeB(SeNB)の前記第2の構成情報を設定させ、それによって前記第2のサブフレーム番号が前記第1のサブフレーム番号と等しくなるようにする。
【００７５】
例20は、例14乃至19のいずれか1つの非一時的コンピュータ読み取り可能な記憶媒体を含み、前記中断ギャップは、第2の測定ギャップを含み、前記測定ギャップ及び前記第2の測定ギャップの各々は、第1の保護マージン、前記第1の保護マージンに続く測定期間、及び前記測定期間に続く第2の保護マージンを含む。
【００７６】
例21は、例20の非一時的コンピュータ読み取り可能な記憶媒体を含み、前記測定ギャップの前記第1の保護マージンは、前記第2の測定ギャップの前記第1の保護マージンと実質的に整列させられている。
【００７７】
例22は、無線通信のための方法を含み、当該方法は、マスター進化型NodeB(MeNB)のための第1の測定ギャップの第1の構成情報を、ロングタームエボリューション(LTE)ネットワークの中の前記マスター進化型NodeB(MeNB)によって設定するステップであって、前記第1の構成情報は、前記第1の測定ギャップのギャップ長さ及び始点を指定する、ステップと、前記マスター進化型NodeB(MeNB)と非同期状態にあるセカンダリー進化型NodeB(SeNB)のための第2の測定ギャップの第2の構成情報を、前記マスター進化型NodeB(MeNB)によって設定するステップであって、前記第2の構成情報は、前記第2の測定ギャップのギャップ長さ及び始点を指定する、ステップと、前記第1の構成情報及び前記第2の構成情報を含む1つ又は複数のメッセージを前記マスター進化型NodeB(MeNB)によって送信するステップとを含み、前記第2の測定ギャップの前記ギャップ長さは、前記第1の測定ギャップの前記ギャップ長さよりも大きく、前記第2の測定ギャップの前記始点は、前記第1の測定ギャップの前記始点と同等であるか、又は前記第1の測定ギャップの前記始点と比較して1つのサブフレームの継続時間より小さな時間だけ時間的に進んでいる。
【００７８】
例23は、例22の方法を含み、前記第1の測定ギャップの前記ギャップ長さは、6個のサブフレームであり、前記第2の測定ギャップの前記ギャップ長さは、7個のサブフレームである。
【００７９】
例24は、例22の方法を含み、前記第1の測定ギャップの前記始点は、第1のシステムフレーム番号(SFN)及び第1のサブフレーム番号によって指定され、前記第2の測定ギャップの前記始点は、第2のシステムフレーム番号(SFN)及び第2のサブフレーム番号によって指定され、当該方法は、前記マスター進化型NodeB(MeNB)と前記セカンダリー進化型NodeB(SeNB)との間でSFN及びサブフレーム境界の整列を前記マスター進化型NodeB(MeNB)によって実行するステップをさらに含む。
【００８０】
例25は、例24の方法を含み、当該方法は、前記マスター進化型NodeB(MeNB)のサブフレームのタイミングと前記セカンダリー進化型NodeB(SeNB)のサブフレームのタイミングとの間の差を前記マスター進化型NodeB(MeNB)によって決定するステップと、前記マスター進化型NodeB(MeNB)の前記サブフレームのタイミングが前記セカンダリー進化型NodeB(SeNB)の前記サブフレームのタイミングと比較して時間的に進んでいるということを前記差が示していることに応答して、前記第2の構成情報を設定し、それによって前記第2のサブフレーム番号が前記第1のサブフレーム番号と比較して時間的に直前となるようにするステップと、前記マスター進化型NodeB(MeNB)の前記サブフレームのタイミングが前記セカンダリー進化型NodeB(SeNB)の前記サブフレームのタイミングと比較して時間的に進んでいないということを前記差が示していることに応答して、前記第2の構成情報を設定し、それによって前記第2のサブフレーム番号が前記第1のサブフレーム番号と等しくなるようにするステップとを含む。
【００８１】
例26は、例22の方法を含み、前記第1の測定ギャップ及び前記第2の測定ギャップの各々は、第1の保護マージン、前記第1の保護マージンに続く測定期間、及び前記測定期間に続く第2の保護マージンを含み、前記第1のギャップの前記第1の保護マージンは、前記第2の測定ギャップの前記第1の保護マージンと実質的に整列させられている。
【００８２】
例27は、進化型NodeB(eNodeB)を含み、当該進化型NodeB(eNodeB)は、ユーザ機器(UE)との間でデータ送信又はデータ受信を実行するように動作可能であるトランシーバー回路と、中断ギャップを決定するように動作可能である構成回路とを含み、前記中断ギャップの間、前記ユーザ機器(UE)との間でのデータ送信又はデータ受信は禁止され、前記中断ギャップは、7[ms]のギャップ長さを有し、測定ギャップは、6[ms]のギャップ長さを有する。
【００８３】
例28は、例27の進化型NodeB(eNodeB)を含み、当該進化型NodeB(eNodeB)は、マスター進化型NodeB(MeNB)と非同期状態となるように動作可能であるセカンダリー進化型NodeB(SeNB)である。
【００８４】
例29は、例28の進化型NodeB(eNodeB)を含み、前記進化型NodeB(eNodeB)は、非理想的なバックホールによって前記マスター進化型NodeB(MeNB)と接続される。
【００８５】
例30は、例27乃至29のいずれか1つの進化型NodeB(eNodeB)を含み、前記中断ギャップは、マスター進化型NodeB(MeNB)から受信する構成情報に基づいて決定される。
【００８６】
例31は、ユーザ機器(UE)の中で使用される無線通信のための装置を含み、当該装置は、マスター進化型NodeB(MeNB)及び前記マスター進化型NodeB(MeNB)と非同期状態にあるセカンダリー進化型NodeB(SeNB)のための測定ギャップ情報を1つ又は複数の構成情報メッセージに基づいて決定する手段と、前記マスター進化型NodeB(MeNB)及び前記セカンダリー進化型NodeB(SeNB)のための測定ギャップを前記測定ギャップ情報に基づいて決定する手段であって、前記マスター進化型NodeB(MeNB)及び前記セカンダリー進化型NodeB(SeNB)のための前記測定ギャップは、6個のサブフレームの測定ギャップ長さを有し、前記セカンダリー進化型NodeB(SeNB)のための中断ギャップは、7個のサブフレームの中断ギャップ長さを有する、手段と、前記測定ギャップ情報に基づいて無線周波数(RF)回路を同調させる手段とを含み、前記無線周波数(RF)回路は、前記マスター進化型NodeB(MeNB)と関連するマスターセルグループ(MCG)のサービングセル及び前記セカンダリー進化型NodeB(SeNB)と関連するセカンダリーセルグループ(SCG)のサービングセルにおいてデータを送信し又はデータを受信して、周波数間測定を実行するのに使用される。
【００８７】
例32は、例31の装置を含み、前記マスター進化型NodeB(MeNB)及び前記セカンダリー進化型NodeB(SeNB)のための測定ギャップは、実質的に整列させられる。
【００８８】
例33は、例31及び32のいずれか1つの装置を含み、当該装置は、前記無線周波数(RF)回路を再び同調させて、前記セカンダリーセルグループ(SCG)又は前記マスターセルグループ(MCG)の前記サービングセルにおいてデータを送信し又はデータを受信するようにさせる手段をさらに含む。
【００８９】
例34は、進化型NodeB(eNodeB)において使用される無線通信のための装置を含み、前記進化型NodeB(eNodeB)と関連するマスターセルグループ(MCG)のための測定ギャップの第1の構成情報を設定する手段と、第2の進化型NodeB(eNodeB)と関連するセカンダリーセルグループ(SCG)のための中断ギャップの第2の構成情報を設定し、それによって前記中断ギャップが前記測定ギャップよりも遅れて開始することがなく、前記測定ギャップよりも後に終了するようにする手段とを含み、前記進化型NodeB(eNodeB)は、マスター進化型NodeB(MeNB)であり、前記第2の進化型NodeB(MeNB)は、前記マスター進化型NodeBと非同期状態にあるセカンダリー進化型NodeB(SeNB)である。
【００９０】
例35は、例34の装置を含み、前記測定ギャップは6個のサブフレームのギャップ長さを有し、前記中断ギャップは7個のサブフレームのギャップ長さを有する。
【００９１】
例36は、例34及び35のいずれか1つの装置を含み、前記第1の構成情報は、第1のシステムフレーム番号(SFN)及び第1のサブフレーム番号によって前記測定ギャップの始点を指定し、前記第2の構成情報は、第2のシステムフレーム番号(SFN)及び第2のサブフレーム番号によって前記中断ギャップの始点を指定し、当該装置は、前記マスター進化型NodeB(MeNB)と前記セカンダリー進化型NodeB(SeNB)との間でSFN及びサブフレーム境界の整列を実行する手段をさらに含む。
【００９２】
例37は、例36の装置を含み、当該装置は、前記マスター進化型NodeB(MeNB)のサブフレームのタイミングと前記セカンダリー進化型NodeB(SeNB)のサブフレームのタイミングとの間の差を決定する手段と、前記マスター進化型NodeB(MeNB)の前記サブフレームのタイミングが前記セカンダリー進化型NodeB(SeNB)の前記サブフレームのタイミングと比較して時間的に進んでいるということを前記差が示していることに応答して、前記第2の構成情報を設定し、それによって前記第2のサブフレーム番号が前記第1のサブフレーム番号と比較して時間的に直前になるようにする手段と、前記マスター進化型NodeB(MeNB)の前記サブフレームのタイミングが前記セカンダリー進化型NodeB(SeNB)の前記サブフレームのタイミングと比較して時間的に進んでいないということを前記差が示していることに応答して、前記第2の構成情報を設定し、それによって前記第2のサブフレーム番号が前記第1のサブフレーム番号と等しくなるようにする手段とを含む。
【００９３】
例38は、例34乃至37のいずれか1つの装置を含み、前記測定ギャップは、第1の保護マージン、前記第1の保護マージンに続く測定期間、及び前記測定期間に続く第2の保護マージンを含む。
【００９４】
例39は、例38の装置を含み、前記測定ギャップの前記第1の保護マージンは、第2の測定ギャップの第1の保護マージンと実質的に整列させられる。
【００９５】
例40は、マスター進化型NodeB(MeNB)の中で使用される無線通信のための装置を含み、当該装置は、前記マスター進化型NodeB(MeNB)のための測定ギャップの第1の構成情報を設定する手段であって、前記第1の構成情報は、前記測定ギャップのギャップ長さ及び始点を指定する、手段と、前記マスター進化型NodeB(MeNB)と非同期状態にあるセカンダリー進化型NodeB(SeNB)のための中断ギャップの第2の構成情報を設定する手段であって、前記第2の構成情報は、前記中断ギャップのギャップ長さ及び始点を指定する、手段と、前記第1の構成情報及び前記第2の構成情報を含む1つ又は複数のメッセージを送信する手段とを含み、前記中断ギャップの前記ギャップ長さは、前記測定ギャップの前記ギャップ長さよりも大きく、前記中断ギャップの前記始点は、前記測定ギャップの始点と同等であるか、又は前記測定ギャップの前記始点と比較して1つのサブフレームの継続時間よりも小さな時間だけ時間的に進んでいる。
【００９６】
例41は、例40の装置を含み、前記測定ギャップはマスターセルグループ(MCG)に対応し、前記中断ギャップはセカンダリーセルグループ(SCG)に対応する。
【００９７】
例42は、例40及び41のいずれか1つの装置を含み、前記測定ギャップの前記ギャップ長さは6個のサブフレームであり、前記中断ギャップの前記ギャップ長さは7個のサブフレームである。
【００９８】
例43は、例40乃至42のいずれか1つの装置を含み、前記測定ギャップの前記始点は、第1のシステムフレーム番号(SFN)及び第1のサブフレーム番号によって指定され、前記中断ギャップの前記始点は、第2のシステムフレーム番号(SFN)及び第2のサブフレーム番号によって指定され、当該装置は、前記マスター進化型NodeB(MeNB)と前記セカンダリー進化型NodeB(SeNB)との間でSFN及びサブフレーム境界の整列を実行する手段をさらに含む。
【００９９】
例44は、例40乃至43のいずれか1つの装置を含み、前記測定ギャップの前記始点は、第1のシステムフレーム番号(SFN)及び第1のサブフレーム番号によって指定され、前記中断ギャップの前記始点は、第2のシステムフレーム番号(SFN)及び第2のサブフレーム番号によって指定され、当該装置は、前記マスター進化型NodeB(MeNB)のサブフレームのタイミングと前記セカンダリー進化型NodeB(SeNB)のサブフレームのタイミングとの間の差を決定する手段と、前記マスター進化型NodeB(MeNB)の前記サブフレームのタイミングが前記セカンダリー進化型NodeB(SeNB)の前記サブフレームのタイミングと比較して時間的に進んでいるということを前記差が示していることに応答して、前記第2の構成情報を設定し、それによって前記第2のサブフレーム番号が前記第1のサブフレーム番号と比較して時間的に直前となるようにする手段とをさらに含む。
【０１００】
例45は、例40乃至44のいずれか1つの装置を含み、前記測定ギャップの前記始点は、第1のシステムフレーム番号(SFN)及び第1のサブフレーム番号によって指定され、前記中断ギャップの前記始点は、第2のシステムフレーム番号(SFN)及び第2のサブフレーム番号によって指定され、当該装置は、前記マスター進化型NodeB(MeNB)の前記サブフレームのタイミングが前記セカンダリー進化型NodeB(SeNB)の前記サブフレームのタイミングと比較して時間的に進んでいないということを前記差が示していることに応答して、前記第2の構成情報を設定し、それによって前記第2のサブフレーム番号が前記第1のサブフレーム番号と等しくなるようにする手段をさらに含む。
【０１０１】
例46は、例40乃至45のいずれか1つの装置を含み、前記測定ギャップは、第1の保護マージン、前記第1の保護マージンに続く測定期間、及び前記測定期間に続く第2の保護マージンを含む。
【０１０２】
例47は、例46の装置を含み、前記測定ギャップの前記第1の保護マージンは、第2の測定ギャップの第1の保護マージンと実質的に整列させられる。
【０１０３】
例48は、複数の命令を格納している1つ又は複数の非一時的コンピュータ読み取り可能な記憶媒体を含み、前記複数の命令は、1つ又は複数のプロセッサによって実行されると、ユーザ機器(UE)に、マスター進化型NodeB(MeNB)のための測定ギャップを決定させ、前記マスター進化型NodeB(MeNB)は、マスターセルグループ(MCG)を提供するように動作可能であり、前記マスターセルグループ(MCG)は、セカンダリー進化型NodeB(SeNB)のセカンダリーセルグループ(SCG)と非同期状態にあり、前記ユーザ機器(UE)の無線周波数(RF)回路を同調させて、前記マスターセルグループ(MCG)及び前記セカンダリーセルグループ(SCG)の双方における測定のために、前記測定ギャップの開始の時点において前記無線周波数(RF)回路に周波数間測定を開始させるようにさせ、前記測定ギャップの前記開始は、前記マスターセルグループ(MCG)のサブフレームのタイミングに基づいている。
【０１０４】
例49は、例48の非一時的コンピュータ読み取り可能な記憶媒体を含み、前記複数の命令は、1つ又は複数のプロセッサで実行されると、前記ユーザ機器(UE)に、前記測定ギャップの終端で前記無線周波数(RF)回路を再び同調させて、前記無線周波数(RF)回路に、前記セカンダリーセルグループ(SCG)又は前記マスターセルグループ(MCG)のサービングセルにおいてデータを送信させ又は受信させる。
【０１０５】
例50は、例49の非一時的コンピュータ読み取り可能な記憶媒体を含み、同調操作の開始から再同調操作の終了までの時間は、前記マスター進化型NodeB(MeNB)と前記セカンダリー進化型NodeB(SeNB)との間で整列させられる。
【０１０６】
例51は、例48の非一時的コンピュータ読み取り可能な記憶媒体を含み、前記マスター進化型NodeB(MeNB)のための前記測定ギャップは、第1の保護マージン、前記第1の保護マージンに続く測定期間、及び前記測定期間に続く第2の保護マージンを含む。
【０１０７】
例52は、例48の非一時的コンピュータ読み取り可能な記憶媒体を含み、当該非一時的コンピュータ読み取り可能な記憶媒体は、前記ユーザ機器(UE)のベースバンドチップセットの中に含まれる。
【０１０８】
例53は、例48の非一時的コンピュータ読み取り可能な記憶媒体を含み、前記セカンダリー進化型NodeB(SeNB)のための中断ギャップは、前記マスター進化型NodeB(MeNB)のための前記測定ギャップよりも遅れて開始することはなく、前記マスター進化型NodeB(MeNB)のための前記測定ギャップよりも後に終了する。
【０１０９】
例54は、上記の説明に示されて説明される無線ネットワークにおいて通信を行う方法を含む。
【０１１０】
例55は、上記の説明に示されて説明される無線通信を提供するシステムを含んでいる。
【０１１１】
例56は、上記の説明に示されて説明される無線通信を提供するデバイスを含んでいる。
【０１１２】
本明細書では説明の目的で複数のある実施形態を解説し説明してきたが、本開示の範囲から逸脱することなく、図示され説明された複数の実施形態を、同一目的を達成するように計算された多種多様の代替的な実施形態又は実装及び/又は等価な実施形態又は実装によって置き換えてもよい。本明細書の応用例は、本明細書で議論されてきた複数の実施形態のあらゆる適合又は変更を網羅するように意図されている。したがって、本明細書で説明されてきた複数の実施形態は、それらの例及び等価なもののみによっては限定されないということが明確に意図されている。
【図１】
2017523733.tif 000006
【図２】
2017523733.tif 000007
【図３】
2017523733.tif 000008
【図４】
2017523733.tif 000009
【図５】
2017523733.tif 000010
【図６】
2017523733.tif 000011
【図７】
2017523733.tif 000012
【図８Ａ】
2017523733.tif 000013
【図８Ｂ】
2017523733.tif 000014
【図９】
2017523733.tif 000015
【図１０】
2017523733.tif 000016
【国際調査報告】
2017523733.tif 000017
2017523733.tif 000018
2017523733.tif 000019